(57)【要約】【課題】使用者の利便性を損なうことなく、室内全体の空気を効率よく循環させることができる送風装置を提供する。【解決手段】吸込口２１が形成されている背面側を壁Ｗ１に向けて送風装置１を壁Ｗ１近傍の床Ｆに設置し、送風装置１と壁Ｗ１との間の離隔距離を距離センサ５で検出し、検出された離隔距離が長い（又は短い）場合は、ルーバ４の傾斜角度を自動的に水平側（又は鉛直側）にすることによって、吹出口２２から吹き出す空気の吹出し方向を水平（又は鉛直）に近くする。この場合、送風機３によって吸込口２１から吸い込まれて吹出口２２から吹き出した空気は壁Ｗ１に沿って上昇し、天井Ｃに沿って壁Ｗ２側へ移動し、壁Ｗ２に沿って下降し、床Ｆに沿って壁Ｗ１側へ移動し、再び吸込口２１から吸い込まれる。即ち、送風装置１と壁Ｗ１との間の離隔距離、ルーバ４の傾斜角度等を使用者が調節することなく、室内Ｒ全体の空気が効率よく循環する。【選択図】図３
2009072735.tif 000002
【特許請求の範囲】
【請求項１】
空気の吸込口及び吹出口が形成されている筐体と、
前記吸込口から空気を吸い込んで前記吹出口から吹き出させるための送風機と、
前記吹出口に配され、傾斜角度が可変に設けられている風向板と、
前記吹出口から吹き出す空気の吹出し方向を調節すべく、前記風向板の傾斜角度を制御する風向制御手段と
を備える送風装置において、
前記筐体と前記吹出し方向に存在する物体との間の離隔距離を検出する距離センサを備え、
前記風向制御手段は、前記吹出口から吹き出された空気が前記物体へ入射する入射角度及び入射高さを調節すべく、前記距離センサの検出結果に応じて、前記風向板の傾斜角度を制御するようにしてあることを特徴とする送風装置。
【請求項２】
前記風向制御手段は、前記検出結果が示す距離が長い場合は、前記風向板の傾斜角度を水平側にし、前記検出結果が示す距離が短い場合は、前記風向板の傾斜角度を鉛直側にするようにしてあることを特徴とする請求項１に記載の送風装置。
【請求項３】
前記送風機は、回転することで送風するファンと、該ファンを回転させるモータとを有し、該モータは回転数が可変に設けられており、
前記吹出口から吹き出された空気が前記物体へ入射する入射速度を調節すべく、前記距離センサの検出結果に応じて、前記モータの回転数を制御する送風制御手段を更に備えることを特徴とする請求項１又は２に記載の送風装置。
【請求項４】
前記送風制御手段は、前記検出結果が示す距離が長い場合は、前記モータの回転数を高くし、前記検出結果が示す距離が短い場合は、前記モータの回転数を低くするようにしてあることを特徴とする請求項３に記載の送風装置。
【請求項５】
前記吸込口から吸い込まれる空気を濾過して該空気に含まれる塵埃を捕集する集塵フィルタ及び/又は前記空気の臭いを除去する脱臭フィルタを更に備えることを特徴とする請求項１から４の何れかひとつに記載の送風装置。
【請求項６】
前記吹出口から吹き出す空気に付与すべきイオンを発生させるイオン発生部を更に備えることを特徴とする請求項１から５の何れかひとつに記載の送風装置。
【発明の詳細な説明】
【技術分野】
【０００１】
本発明は、吸い込んだ空気を風向板に沿って吹き出させる送風装置に関する。
【背景技術】
【０００２】
室内の空気は、塵、埃、花粉、タバコの煙、呼吸と共に排出される二酸化炭素空気浄化等、人体に不快又は有害とされる様々な物質で汚染され易い。特に近年では住宅が高気密化されているため、汚染物質が室内に滞りがちである。また、従来は部屋の窓を適宜解放して自然換気を行なっていたが、大気汚染、花粉症等の理由で屋外の空気を取り込むことが困難な場合がある。このような事情から、最近では室内の空気を浄化する空気浄化機能を有する空気清浄機が普及してきている。
【０００３】
一般に空気清浄機は、筐体の正面、背面等に吸込口が形成され、筐体の上面に吹出口が形成され、筐体の内部には吸込口と吹出口との間に通風路が形成されており、通風路の中途に送風機が配されている。吸込口には、空気を濾過して塵埃を捕集する集塵フィルタ及び脱臭フィルタが配され、吹出口には、空気中に含まれる細菌、ウイルス、アレルゲン等を分解するためのイオン発生装置が配されている。このような空気清浄機は、送風機が作動することによって、空気清浄機外部の空気である室内の空気を吸込口から吸い込んで通風路を通過させ、吹出口から室内へ吹き出させる。
【０００４】
空気清浄機に吸い込まれた空気に含まれる汚染物質は、各フィルタによって捕集され、吸着され、又は分解されて取り除かれ、室内の空気に含まれる汚染物質は、空気清浄機から吹き出された空気に含まれるイオンによって分解されて取り除かれる。この結果、室内の空気が浄化される。
室内の空気を効率よく浄化するために、従来、上昇しながら拡散しようとするタバコの煙を効率よく吸い込む空気清浄機が提案されている（特許文献１参照）。この空気清浄機は、筐体の吸込口が設けられている一面をオーバーハングさせることによって、吸込口の上端部での吸込み力を向上させている。
【０００５】
また、室内全体の空気を効率よく浄化すべく、室内の空気を全体的に循環させることが考えられる。このために従来、吹出口から吹き出された空気が適切な入射角度及び入射高さで壁へ入射するように、空気清浄機を壁際の床に設置することが考えられている。この場合、空気清浄機から吹き出した空気は空気清浄機近傍の壁に沿って上昇し、更に天井に沿って、この壁に対面する壁側へ移動する。対面する壁側へ移動した空気はこの壁に沿って下降し、更に床に沿って、空気清浄機近傍の壁側へ移動し、空気清浄機へ吸い込まれる。以上のことから、室内全体の空気が効率よく循環する。
【特許文献１】特開２０００−１２１１１１号公報
【発明の開示】
【発明が解決しようとする課題】
【０００６】
しかしながら、空気清浄機から吹き出された空気が壁へ入射する入射角度及び／又は入射高さが不適切であったり、壁へ入射せず天井へ直接的に入射したりすると、室内全体の空気を効率よく循環させることが困難になる。例えば、吹き出した空気が壁又は天井から反射して、対面する壁側へ移動することなく下降を開始する。或いは、適切な循環方向とは異なる方向の空気流（以下、乱流という）が生じて、空気清浄機から吹き出された空気が室内を全体的に循環することなく再び空気清浄機へ吸い込まれる。
【０００７】
このような不具合を抑制するために、空気清浄機から吹き出す空気の吹出し方向と、空気清浄機を壁から離隔させる距離とを夫々一定にしておくことで、適切な入射角度及び入射高さを保つことが考えられる。
しかしながら、空気清浄機の使用者に対して、空気清浄機を必ず壁から所定距離（例えば３０ｃｍ）離隔させて設置するよう強制することは使用者の負担となり、また、例えば室内の使用状況、家具の配置等によっては、壁から所定距離離隔した位置に設置できないこともあり得る。
一方、空気清浄機を壁から所定距離離隔した位置に設置しない場合は、空気の吹出し方向を変更することが考えられるが、吹出し方向を可変にする風向板を設け、この風向板の傾斜角度を使用者が調節することは、やはり使用者の負担となる。
【０００８】
本発明は斯かる事情に鑑みてなされたものであり、その主たる目的は、筐体と、空気の吹出し方向に存在する物体との間の離隔距離に応じて、風向板の傾斜角度を制御する構成とすることにより、室内全体の空気を効率よく循環させることができる送風装置を提供することにある。
【課題を解決するための手段】
【０００９】
本発明に係る送風装置は、空気の吸込口及び吹出口が形成されている筐体と、前記吸込口から空気を吸い込んで前記吹出口から吹き出させるための送風機と、前記吹出口に配され、傾斜角度が可変に設けられている風向板と、前記吹出口から吹き出す空気の吹出し方向を調節すべく、前記風向板の傾斜角度を制御する風向制御手段とを備える送風装置において、前記筐体と前記吹出し方向に存在する物体との間の離隔距離を検出する距離センサを備え、前記風向制御手段は、前記吹出口から吹き出された空気が前記物体へ入射する入射角度及び入射高さを調節すべく、前記距離センサの検出結果に応じて、前記風向板の傾斜角度を制御するようにしてあることを特徴とする。
【００１０】
本発明に係る送風装置は、前記風向制御手段は、前記検出結果が示す距離が長い場合は、前記風向板の傾斜角度を水平側にし、前記検出結果が示す距離が短い場合は、前記風向板の傾斜角度を鉛直側にするようにしてあることを特徴とする。
【００１１】
本発明に係る送風装置は、前記送風機は、回転することで送風するファンと、該ファンを回転させるモータとを有し、該モータは回転数が可変に設けられており、前記吹出口から吹き出された空気が前記物体へ入射する入射速度を調節すべく、前記距離センサの検出結果に応じて、前記モータの回転数を制御する送風制御手段を更に備えることを特徴とする。
【００１２】
本発明に係る送風装置は、前記送風制御手段は、前記検出結果が示す距離が長い場合は、前記モータの回転数を高くし、前記検出結果が示す距離が短い場合は、前記モータの回転数を低くするようにしてあることを特徴とする。
【００１３】
本発明に係る送風装置は、前記吸込口から吸い込まれる空気を濾過して該空気に含まれる塵埃を捕集する集塵フィルタ及び/又は前記空気の臭いを除去する脱臭フィルタを更に備えることを特徴とする。
【００１４】
本発明に係る送風装置は、前記吹出口から吹き出す空気に付与すべきイオンを発生させるイオン発生部を更に備えることを特徴とする。
【００１５】
本発明にあっては、空気の吸込口及び吹出口が形成されている筐体と、送風機、風向板、風向制御手段、及び距離センサとを備え、吹出口から吹き出された空気が、吹出し方向に存在する物体（例えば壁、背の高い家具、風を反射させるための板部材等。以下では壁を例示する）へ入射する入射角度及び入射高さを自動的に調節するようにしてある。
送風機が作動することによって、筐体の吸込口から空気が吸い込まれ、吹出口から吹き出す。風向板は傾斜角度が可変に設けられて、吹出口に配されている。距離センサは、筐体と、吹出口からの空気の吹出し方向に存在する壁との間の離隔距離を検出する。
【００１６】
風向制御手段は、距離センサの検出結果に応じて、風向板の傾斜角度を制御することによって、吹出口から吹き出す空気の吹出し方向を適切に調節する。この結果、筐体と壁との間の離隔距離に応じて、適切な吹出し方向で空気が吹き出され、吹き出された空気は、適切な入射角度及び入射高さで壁へ入射する。
吸込口から吸い込まれて吹出口から吹き出し、適切な入射角度及び入射高さで壁へ入射した空気は、壁に沿って上昇し、天井に沿ってこの壁に対面する壁側へ移動し、移動先の壁に沿って下降し、更に床に沿って、送風装置近傍の壁側へ移動して、再び吸込口から吸い込まれる。つまり、送風装置から吹き出された空気が室内の対面する２枚の壁、天井、及び床に沿って効率よく循環する。この循環に伴って、室内中央部の空気も循環するため、室内全体の空気が効率よく循環する。
【００１７】
本発明にあっては、送風装置と壁との間の離隔距離が遠い場合は吹出し方向を水平に近くし、送風装置と壁との間の離隔距離が近い場合は吹出し方向を鉛直に近くする。
このために、風向制御手段は、距離センサの検出結果が示す距離が長い場合は、風向板の傾斜角度を水平側にし、距離センサの検出結果が示す距離が短い場合は、風向板の傾斜角度を鉛直側にする。
つまり、距離センサの検出結果が示す距離の長短に応じて、風向板の傾斜角度を水平側又は鉛直側にすることによって、送風装置から壁までの遠近に応じて、吹出し方向を簡易且つ適切に調節することができる。
【００１８】
仮に、送風装置が壁から遠い場合に吹出し方向を鉛直側にすると、吹き出した空気が壁へ入射せず天井へ直接入射し、天井に沿って、この壁側へ移動して、乱流を生じる可能性がある。又は、天井から反射した空気が下降し、この壁に対面する壁側まで届かない可能性がある。一方、送風装置が壁から近い場合に吹出し方向を水平に近くすると、壁へ入射した空気が壁に沿って上昇せず壁から反射して下降し、この壁に対面する壁側まで届かない可能性がある。何れの場合も、室内全体の空気は循環し難い。
【００１９】
本発明にあっては、送風制御手段を更に備え、吹出口から吹き出す空気の吹出し速度を調節する。適切な吹出し速度で吹き出した空気は、適切な入射速度で壁へ入射して、壁に沿って上昇し、天井に沿って、この壁に対面する壁側へ移動する。
このために送風機が、ファンと、回転数が可変に設けられているモータとを有する。モータの回転数は、送風制御手段が距離センサの検出結果に応じて制御する。モータは、送風制御手段によって制御された回転数でファンを回転させ、回転するファンは、回転数の高さに応じた送風速度で送風する。この結果、吹出口から吹き出す空気の吹出し速度を、送風装置から壁までの遠近に応じた適切な吹出し速度に調節することができる。
【００２０】
仮に、吹出口から吹き出された空気が壁へ入射する入射角度及び入射高さが適切であっても、空気が壁へ入射する入射速度が高すぎる場合、空気の流れが強すぎて、壁から反射する可能性があり、入射速度が低すぎる場合、空気の流れが弱すぎて、天井に沿わずに下降する可能性がある。
【００２１】
本発明にあっては、送風装置が壁から遠い場合は吹出し速度を高くし、送風装置が壁から近い場合は吹出し速度を低くする。
このために、送風制御手段は、距離センサの検出結果が示す距離が長い場合は、モータの回転数を高くし、距離センサの検出結果が示す距離が短い場合は、モータの回転数を低くする。
つまり距離センサの検出結果が示す距離の長短に応じて、モータの回転数の高低を調節することによって、送風装置から壁までの遠近に応じて、吹出し速度を簡易且つ適切に調節することができる。
【００２２】
仮に、送風装置が壁から遠い場合に吹出し速度を低くすると、吹き出した空気が壁に届かずに下降する可能性がある。一方、送風装置が壁から近い場合に吹出し速度を高くすると、壁へ入射した空気が壁から反射して送風装置側へ直接的に戻ってくる可能性がある。何れの場合も、室内全体の空気は循環し難い。
【００２３】
本発明にあっては、集塵フィルタ及び/又は脱臭フィルタを更に備える。
集塵フィルタは、吸込口から吸い込まれる空気を濾過してこの空気に含まれる塵埃を捕集することによって、吸込口から吸い込まれた空気を浄化する。脱臭フィルタは、吸込口から吸い込まれる空気の臭いを除去することによって、吸込口から吸い込まれた空気を浄化する。
従って、吸込口から吸い込まれて浄化され、吹出口から吹き出された空気は、室内全体を効率よく循環して、室内の塵埃及び臭いを含んだ状態で再び吸込口から吸い込まれて浄化される。
この結果、集塵フィルタ及び/又は脱臭フィルタを備える送風装置は、効率よく集塵及び／又は脱臭する空気清浄機として機能することができる。
【００２４】
本発明にあっては、イオン発生部を更に備える。
イオン発生部はイオンを発生させ、発生したイオンは、吹出口から吹き出す空気に付与される。
従って、吸込口から吸い込まれて、イオンと共に吹出口から吹き出された空気は、室内全体を効率よく循環しながら室内のウイルス、細菌、アレルゲン等を分解し、再び吸込口から吸い込まれてイオンと共に吹出口から吹き出される。
この結果、イオン発生部を備える送風装置は、イオンを室内全体に飛散させる空気清浄機として機能することができる。
【発明の効果】
【００２５】
本発明の送風装置による場合、装置外部の物体（具体的には壁、更には天井、及び床）を利用して、室内全体の空気を効率よく循環させることができる。
しかも使用者が、送風装置を適切な位置に配置したり、風向板の傾斜角度を適切な角度に調節したりする必要がない。従って、室内全体の空気を効率よく循環させるために使用者に負担を強いることがない。この結果、使用者の利便性を向上させることができる。
【発明を実施するための最良の形態】
【００２６】
以下、本発明を、その実施の形態を示す図面に基づいて詳述する。
【００２７】
図１は、本発明の実施の形態に係る送風装置の内部構成を略示する側断面図であり、図２は、この送風装置の要部構成を示すブロック図である。
また、図３は、この送風装置と壁との離隔距離が長い場合に適切な送風がなされている状態を説明する側断面図であり、図４は、この場合に不適切な送風がなされている状態を説明する側断面図である。
更に、図５は、この送風装置と壁との離隔距離が短い場合に適切な送風がなされている状態を説明する側断面図であり、図６は、この場合に不適切な送風がなされている状態を説明する側断面図である。
図中１は送風装置であり、送風装置１は室内Ｒで用いられ、図１に示すように、壁Ｗ１近傍の床Ｆに、背面２ｂを壁Ｗ１に対面させて立設される縦型の直方体状の筐体２を備えている。
【００２８】
筐体２は合成樹脂製であって、筐体２の背面２ｂには吸込口２１が開口しており、筐体２の天面２ｃは前方から後方へ（即ち正面２ａ側から背面２ｂ側へ）下降する傾斜面状であって、天面２ｃの前後方向中央部には吹出口２２が開口している。
筐体２の内部には、吸込口２１と吹出口２２とを結ぶ通風路２３が設けられている。更に詳細には通風路２３は、吸込口２１が形成されている背面２ｂ側から正面２ａ下部側までは筐体２の底面２ｄに沿って略水平に設けられており、正面２ａ下部から正面２ａ中央部までは正面２ａに沿って略鉛直に設けられており、正面２ａ中央部から吹出口２２が形成されている天面２ｃ中央部までは後方へ傾斜する方向に設けられている。
【００２９】
正面２ａ下部の通風路２３の中途には、吸込口２１から空気を吸い込んで吹出口２２から吹き出させるための送風機３が内蔵されている。
送風機３はシロッコファンを用いてなり、回転することで送風するファン３１と、ファン３１を回転させる電動のファンモータ３２とを備えている。本実施の形態におけるファンモータ３２は、例えばＤＣモータを用いてなり、回転数［ｒｐｍ］が高低２段階に可変に設けられており、ファンモータ３２が高い回転数（又は低い回転数）で回転することによってファン３１が高速で（又は低速で）回転して送風する。即ち、送風機３の送風速度は２段階に可変に設けられている。
図中の白抜矢符Ａは、送風機３が作動することによって吸込口２１から吸い込まれて通風路２３を通り吹出口２２から吹き出されるまでの空気の通風方向を示している。
【００３０】
吸込口２１と送風機３との間には、通風路２３を閉塞して、脱臭フィルタ６１及び集塵フィルタ６２がこの順に風上側から風下側へ配されている。脱臭フィルタ６１は、例えば不織布に活性炭を添着してなり、脱臭フィルタ６１を通過する空気の臭いは、活性炭に吸着されることによって除去される。集塵フィルタ６２は、いわゆるＨＥＰＡ（High Efficiency Particulate Air ）フィルタであり、静電気によって、空気中の微細な浮遊ゴミ、砂塵等の塵埃を吸着する。
【００３１】
吸込口２１には図示しない網状のプレフィルタが配されており、吸込口２１から吸い込まれる空気は、プレフィルタによって濾過されて粗い（つまりサイズが大きい）塵埃を捕集されてから、まず脱臭フィルタ６１によって脱臭され、次いで集塵フィルタ６２によって濾過されて細かい（つまりサイズが小さい）塵埃を捕集されて、送風機３によって吹出口２２側へ送られる。このため、送風装置１は集塵及び脱臭機能を有する空気清浄機として機能する。
なお、集塵フィルタ６２と送風機３との間に、図示はしないが、水槽、水槽の水を吸い上げる円盤状の加湿フィルタ、加湿フィルタを回転させる回転機構等を有する加湿ユニットを配し、加湿フィルタを通過することによって加湿された空気が吹出口２２側へ送られる構成でもよい。この場合、送風装置１は加湿装置としても機能する。
【００３２】
吹出口２２近傍には、イオン発生部７が配されている。イオン発生部７はプラスイオン及びマイナスイオンを発生させ、発生した各種イオンは、吹出口２２から吹き出す空気に付与される。空気と共に室内Ｒへ吹き出したイオンは、空中に浮遊する細菌、ウイルス、アレルゲン等の汚染物質に付着して汚染物質を分解する。このため、送風装置１はイオンによる汚染物質分解機能を有する空気清浄機として機能する。
【００３３】
吹出口２２には風向板としてのルーバ４が設けられており、ルーバ４は、筐体２の左右方向に配された回転軸４ａの回転に伴って傾斜角度が可変に設けられている。本実施の形態ではルーバ４は、送風中（即ち送風機３の作動中）に、左側面視について図１中に実線で示すように鉛直に近い傾斜角度（例えば水平方向に対して約７５°）と図１中に二点鎖線で示すように水平に近い傾斜角度（例えば水平方向に対して約２５°）との２種類の傾斜角度に可変される。
従って、送風機３によって吹出口２２側へ送られた空気は、後方へ傾斜する通風路２３に沿い、吹出口２２から筐体２の後方（即ち壁Ｗ１側）へ向けて、ルーバ４に沿って、鉛直に近い吹出し方向Ｂ１又は水平に近い吹出し方向Ｂ２に吹き出す。
【００３４】
ただし、送風を行なわない状態（即ち送風機３が停止している状態）では、通風路２３に異物が進入することを防止すべく、ルーバ４によって吹出口２２が閉塞されるようにする。
【００３５】
本実施の形態における送風装置１は、送風装置１から壁Ｗ１までの遠近に応じてルーバ４の傾斜角度を調節し、吹出口２２から空気が吹出し方向Ｂ１，Ｂ２の何れか一方に吹き出すよう構成してある。具体的には、送風装置１から壁Ｗ１までの距離が基準値である３０ｃｍ以上であれば、ルーバ４の傾斜角度は基準値である３０°より水平側の傾斜角度（例えば２５°）に調節され、送風装置１から壁Ｗ１までの距離が３０ｃｍ未満であれば、ルーバ４の傾斜角度は３０°より鉛直側の傾斜角度（例えば７５°）に調節される。
なお、送風装置１から壁Ｗ１までの遠近に応じてルーバ４の傾斜角度を３段階以上に調節する構成でもよい。例えば送風装置１から壁Ｗ１までの距離が基準値前後であればルーバ４の傾斜角度を基準値に調節し、送風装置１から壁Ｗ１までの距離が基準値より大幅に大きい（又は小さい）ならばルーバ４の傾斜角度を基準値より水平側（又は鉛直側）に調節する。
【００３６】
更に本実施の形態における送風装置１は、送風装置１から壁Ｗ１までの遠近に応じてファンモータ３２の回転数を調節することによって送風機３の送風速度を調節し、高速又は低速の吹出し速度で吹出口２２から空気が吹き出すよう構成してある。具体的には、送風装置１から壁Ｗ１までの距離が基準値である３０ｃｍ以上であれば、ファンモータ３２の回転数は所定回転数より高い回転数に調節され、送風装置１から壁Ｗ１までの距離が３０ｃｍ未満であれば、ファンモータ３２の回転数はこの所定回転数より低い回転数に調節される。
なお、送風装置１から壁Ｗ１までの遠近に応じてファンモータ３２の回転数を３段階以上に調節する構成でもよく、ルーバ４の傾斜角度をｍ（ｍはｍ≧２の自然数）段階に調節し、ファンモータ３２の回転数をｎ（ｎはｎ≧２且つｍ≠ｎの自然数）段階に調節する構成でもよい。
【００３７】
ところで筐体２の背面２ｂには、送風装置１から壁Ｗ１までの遠近を検出するために、距離センサ５が配されており、距離センサ５は、筐体２の背面２ｂと壁Ｗ１（即ち吹出し方向Ｂ１又は吹出し方向Ｂ２に存在する物体）との間の離隔距離を、赤外線、超音波等を用いて検出する。距離センサ５の検出結果は、後述するＣＰＵ１０に与えられる。
【００３８】
図２に示すように送風装置１は、ＣＰＵ１０、ＲＯＭ１１、ＲＡＭ１２、表示部１３、操作部１４、ファンモータ制御部３３、ルーバモータ４１、及びルーバモータ制御部４２を更に備える。また、送風装置１は吸込口２１から吸い込んだ空気に含まれる塵埃の多寡、空気の臭いの強弱等を検出する図示しない各種センサを更に備える。
ＣＰＵ１０は送風装置１の制御中枢であり、内部バス、信号線等を介して、ＲＯＭ１１、ＲＡＭ１２、表示部１３、操作部１４、ファンモータ制御部３３、ルーバモータ制御部４２、距離センサ５、及びイオン発生部７に接続されている。ＣＰＵ１０はＲＡＭ１２を作業領域として用い、ＲＯＭ１１に記憶された制御プログラム及びデータに従って装置各部を制御し、各種処理を実行する。
【００３９】
ファンモータ３２の回転数を高い回転数又は低い回転数に調節すべく、ＣＰＵ１０はファンモータ制御部３３を制御し、ファンモータ制御部３３はＣＰＵ１０に制御されて、回転数を示す制御信号をファンモータ３２に与える。ファンモータ３２は、ファンモータ制御部３３から与えられた制御信号に従って、自身の回転数を維持又は変更する。
【００４０】
また、ルーバ４の傾斜角度を水平側又は鉛直側に調節すべく、ＣＰＵ１０はルーバモータ制御部４２を制御し、ルーバモータ制御部４２はＣＰＵ１０に制御されて、傾斜角度を示す制御信号をルーバモータ４１に与える。ルーバモータ４１は、例えばステッピングモータを用いてなり、ルーバモータ４１の出力軸はルーバ４の回転軸４ａに連結されており、ルーバモータ４１はルーバモータ制御部４２から与えられた制御信号に従って回転し、制御信号が示す傾斜角度に対応する位置で停止する。ルーバモータ４１の回転によって回転軸４ａを中心にルーバ４が揺動し、ルーバモータ４１の停止によってルーバ４が所定の傾斜角度に維持される。
【００４１】
表示部１３は、例えば液晶表示パネルを用いてなり、ＣＰＵ１０に制御されて、送風装置１の作動状態、室内Ｒの空気の状態等を表示する。ここで、室内Ｒの空気の状態とは、室内Ｒの空気に含まれる塵埃の多寡、空気の臭いの強弱等であり、前述の各種センサの検出結果に基づいて、空気の状態を示す数字、記号等が表示部１３に表示される。
【００４２】
操作部１４は、ハードキーを用いてなる各種ファンクションキーを備える。送風装置１の使用者は、表示部１３を見ながら操作部１４を操作することによって各種の作動命令を送風装置１に与える。
操作部１４に設けられるファンクションキーは、例えば第１開始キー１４１、第２開始キー１４２、及び停止キー１４３であり、各ファンクションキーが操作された場合、操作部１４からＣＰＵ１０へ、操作されたファンクションキーに対応する操作信号が与えられる。ＣＰＵ１０は、操作信号が与えられたか否かに応じてファンクションキーが操作されたか否かを判定し、与えられた操作信号に応じて、何れのファンクションキーが操作されたかを判定する。
【００４３】
使用者は、送風装置１を作動させて室内Ｒの空気の脱臭及び集塵を実行させるために第１開始キー１４１を操作し、空気の脱臭及び集塵に加えて室内Ｒへのイオンの散布も実行させるために第２開始キー１４２を操作し、送風装置１を作動停止させるために停止キー１４３を操作する。
【００４４】
図７は、本発明の実施の形態に係る送風装置で実行される空気清浄処理の手順を示すフローチャートである。
送風装置１の電源がオンである場合に、ＣＰＵ１０は、第１開始キー１４１が操作されたか否かを判定し（Ｓ１１）、操作されていない場合（Ｓ１１でＮＯ）、第２開始キー１４２が操作されたか否かを判定し（Ｓ１２）、操作されていない場合（Ｓ１２でＮＯ）、処理をＳ１１へ戻す。
第２開始キー１４２が操作された場合（Ｓ１２でＹＥＳ）、ＣＰＵ１０は、イオン発生部７を制御してプラスイオン及びマイナスイオンを発生させる（Ｓ１３）。
【００４５】
Ｓ１３の処理完了後、又は第１開始キー１４１が操作された場合（Ｓ１１でＹＥＳ）、ＣＰＵ１０は、距離センサ５の検出結果を取得し（Ｓ１４）、取得した検出結果が示す距離が基準値以上であるか否かを判定する（Ｓ１５）。
Ｓ１４で取得した検出結果が示す距離が基準値以上である場合（Ｓ１５でＹＥＳ）、ＣＰＵ１０は、ルーバモータ制御部４２を制御して、水平側の傾斜角度までルーバ４を揺動させて停止させ（Ｓ１６）、更に、ファンモータ制御部３３を制御して、高回転数でファンモータ３２を回転させる（Ｓ１７）。Ｓ１６及びＳ１７の処理の結果、ファン３１が高速で回転して、ルーバ４に沿って、水平に近い吹出し方向Ｂ２に高速の空気が吹き出す。
【００４６】
一方、Ｓ１４で取得した検出結果が示す距離が基準値未満である場合（Ｓ１５でＮＯ）、ＣＰＵ１０は、ルーバモータ制御部４２を制御して、鉛直側の傾斜角度までルーバ４を揺動させて停止させ（Ｓ１８）、更に、ファンモータ制御部３３を制御して、低回転数でファンモータ３２を回転させる（Ｓ１９）。Ｓ１８及びＳ１９の処理の結果、ファン３１が低速で回転して、ルーバ４に沿って、鉛直に近い吹出し方向Ｂ１に低速の空気が吹き出す。
Ｓ１７又はＳ１９の処理完了後、ＣＰＵ１０は、停止キー１４３が操作されたか否かを判定し（Ｓ２０）、操作されていない場合（Ｓ２０でＮＯ）、Ｓ２０の処理を繰り返し実行する。
【００４７】
停止キー１４３が操作された場合（Ｓ２０でＹＥＳ）、ＣＰＵ１０は、作動している各部を停止させる（Ｓ２１）。具体的にはＣＰＵ１０は、表示部１３を制御して表示されていた情報を消去させ、ファンモータ制御部３３を制御してファンモータ３２を停止させることで送風機３を停止させる。また、ＣＰＵ１０は、ルーバモータ制御部４２を制御してルーバモータ４１を回転及び停止させることによって、ルーバ４を用いて吹出口２２を閉塞し、イオン発生部７を制御してイオンの発生を停止させる。
Ｓ２１の処理完了後、ＣＰＵ１０は空気清浄処理を終了する。ここで、送風装置１の電源がまだオンである場合は、ＣＰＵ１０は処理をＳ１１へ戻す。
【００４８】
本実施の形態のルーバモータ制御部４２は、Ｓ１６及びＳ１８におけるＣＰＵ１０に制御されることによって風向制御手段として機能し、ファンモータ制御部３３は、Ｓ１７及びＳ１９におけるＣＰＵ１０に制御されることによって送風制御手段として機能する。
【００４９】
以上のような空気清浄処理を実行する場合、第１開始キー１４１が操作されることによって送風機３が作動するため、吸込口２１から吸い込まれた空気は脱臭フィルタ６１及び集塵フィルタ６２によって脱臭及び集塵されて、吹出口２２から吹き出す。一方、第２開始キー１４２が操作されることによって、送風機３及びイオン発生部７が夫々作動するため、吸込口２１から吸い込まれた空気は脱臭フィルタ６１及び集塵フィルタ６２によって脱臭及び集塵され、更にイオン発生部７が発生させたイオンを付与されて、吹出口２２から吹き出す。
【００５０】
図３に示すように壁Ｗ１から遠い位置に設置されている送風装置１において、ルーバ４の傾斜角度及びファンモータ３２の回転数が夫々適切に設定されている場合、吸込口２１から吸い込まれた空気は、吹出口２２から壁Ｗ１へ向けてルーバ４に沿って水平側に（即ち吹出し方向Ｂ２に）高速で吹き出され、適切な入射角度及び入射高さ並びに入射速度で壁Ｗ１へ入射する。この結果、壁Ｗ１へ入射した空気は壁Ｗ１に沿って上昇し、天井Ｃに沿って、壁Ｗ１に対面する壁Ｗ２側へ移動し、壁Ｗ２に沿って下降し、床Ｆに沿って壁Ｗ１側へ移動し、再び吸込口２１から吸い込まれる。つまり、脱臭及び集塵された空気が室内Ｒ全体を循環して室内Ｒの空気中に含まれる臭い及び塵埃を送風装置１へ移送する。また、イオンを含む空気が室内Ｒ全体へ飛散して室内Ｒの空気中に浮遊する汚染物資を分解する。つまり、この状態の送風装置１は空気清浄効率がよい。
【００５１】
しかしながら、壁Ｗ１から遠い位置に設置されている送風装置１において、図４に示すように、ルーバ４の傾斜角度が不適切に設定されている場合、吸込口２１から吸い込まれた空気は、吹出口２２から壁Ｗ１へ向けてルーバ４に沿って鉛直側に（即ち吹出し方向Ｂ１に）高速で吹き出される。この結果、吹出口２２から吹き出された高速の（即ち勢いが強い）空気は壁Ｗ１へ入射せずに天井Ｃへ入射し、天井Ｃに沿って壁Ｗ２側へ移動する適切な流れと、天井Ｃに沿って壁Ｗ１側へ移動し、壁Ｗ１に沿って下降する乱流とが生じる。この乱流は、室内Ｒ全体を循環することなく再び吸込口２１から吸い込まれるため、この状態の送風装置１は空気清浄効率が悪い。
【００５２】
また、壁Ｗ１から遠い位置に設置されている送風装置１において、ファンモータ３２の回転数が不適切に設定されている場合、図示はしないが、吸込口２１から吸い込まれた空気は、吹出口２２から壁Ｗ１へ向けてルーバ４に沿って水平側に（即ち吹出し方向Ｂ２に）低速で吹き出される。この結果、吹出口２２から吹き出された低速の（即ち勢いが弱い）空気は、壁Ｗ１まで到達することなく下降するか、又は壁Ｗ１へ入射しても壁Ｗ１に沿って天井Ｃまで上昇しきれずに下降して、乱流が生じる。この乱流は、室内Ｒ全体を循環することなく再び吸込口２１から吸い込まれるため、この状態の送風装置１は空気清浄効率が悪い。
【００５３】
一方、図５に示すように壁Ｗ１から近い位置に設置されている送風装置１において、ルーバ４の傾斜角度及びファンモータ３２の回転数が夫々適切に設定されている場合、吸込口２１から吸い込まれた空気は、吹出口２２から壁Ｗ１へ向けてルーバ４に沿って鉛直側に（即ち吹出し方向Ｂ１に）低速で吹き出され、適切な入射角度及び入射高さ並びに入射速度で壁Ｗ１へ入射する。この結果、壁Ｗ１へ入射した空気は壁Ｗ１に沿って上昇し、天井Ｃに沿って壁Ｗ２側へ移動し、壁Ｗ２に沿って下降し、床Ｆに沿って壁Ｗ１側へ移動し、再び吸込口２１から吸い込まれる。つまり、脱臭及び集塵された空気が室内Ｒ全体を循環して室内Ｒの空気中に含まれる臭い及び塵埃を送風装置１へ移送する。また、イオンを含む空気が室内Ｒ全体へ飛散して室内Ｒの空気中に浮遊する汚染物資を分解する。つまり、この状態の送風装置１は空気清浄効率がよい。
【００５４】
しかしながら、壁Ｗ１から近い位置に設置されている送風装置１において、図６に示すように、ルーバ４の傾斜角度が不適切に設定されている場合、吸込口２１から吸い込まれた空気は、吹出口２２から壁Ｗ１へ向けてルーバ４に沿って水平側に（即ち吹出し方向Ｂ２に）低速で吹き出される。この結果、吹出口２２から吹き出された低速の空気は壁Ｗ１の低すぎる位置に入射し、勢いが弱すぎて天井Ｃまで上昇しきれずに壁Ｗ１の中途から下降を開始するため、室内Ｒ全体を循環する空気の流れが生じ難い。つまり、この状態の送風装置１は空気清浄効率が悪い。
【００５５】
また、壁Ｗ１から近い位置に設置されている送風装置１において、ファンモータ３２の回転数が不適切に設定されている場合、図示はしないが、吸込口２１から吸い込まれた空気は、吹出口２２から壁Ｗ１へ向けてルーバ４に沿って鉛直側に（即ち吹出し方向Ｂ１に）高速で吹き出される。この結果、吹出口２２から吹き出された高速の空気は勢いが強すぎて壁Ｗ１に沿って上昇せずに壁Ｗ１から反射して下降するため、室内Ｒ全体を循環する空気の流れが生じ難い。つまり、この状態の送風装置１は空気清浄効率が悪い。
【００５６】
以上のように、本実施の形態の送風装置１は、ルーバ４の傾斜角度及びファンモータ３２の回転数を夫々適切に、且つ自動的に設定するため、使用者の利便性を損なうことなく、室内Ｒの空気全体を効率よく浄化することができる。
なお、送風装置１と壁Ｗ１との間にゴミ箱、ペット等の異物が介在して、送風装置１から壁Ｗ１までの距離を誤検出することを防止するために、送風装置１の後方を撮像し、撮像した画像のデータに基づいて異物の有無を判定し、異物が存在する場合は使用者に異物の撤去を指示するか、異物を避けて距離を検出するよう構成してもよい。
また、床置きタイプの送風装置１に限定されず、壁掛けタイプの送風装置１であってもよい。
【００５７】
ところで一般に、空気調和機と、使用者、家具等の物体との間の離隔距離を検出し、検出結果に基づいて風向を変更する空気調和機が用いられている。しかしながら、このような空気調和機は物体を障害物とみなしてこの物体を避けるように送風するのに対し、本発明の送風装置は、物体を積極的に利用し、この物体に適切に入射するよう風向を変更することが特徴である。
【図面の簡単な説明】
【００５８】
【図１】本発明の実施の形態に係る送風装置の内部構成を略示する側断面図である。
【図２】本発明の実施の形態に係る送風装置の要部構成を示すブロック図である。
【図３】本発明の実施の形態に係る送風装置と壁との離隔距離が長い場合に適切な送風がなされている状態を説明する側断面図である。
【図４】本発明の実施の形態に係る送風装置と壁との離隔距離が長い場合に不適切な送風がなされている状態を説明する側断面図である。
【図５】本発明の実施の形態に係る送風装置と壁との離隔距離が短い場合に適切な送風がなされている状態を説明する側断面図である。
【図６】本発明の実施の形態に係る送風装置と壁との離隔距離が短い場合に不適切な送風がなされている状態を説明する側断面図である。
【図７】本発明の実施の形態に係る送風装置で実行される空気清浄処理の手順を示すフローチャートである。
【符号の説明】
【００５９】
１    送風装置
１０  ＣＰＵ
２    筐体
２１  吸込口
２２  吹出口
３    送風機
３１  ファン
３２  ファンモータ（モータ）
３３  ファンモータ制御部（送風制御手段）
４    ルーバ（風向板）
４２  ルーバモータ制御部（風向制御手段）
５    距離センサ
６１  脱臭フィルタ
６２  集塵フィルタ
７    イオン発生部
Ｂ１，Ｂ２  吹出し方向
Ｗ１  壁（物体）
【図１】
2009072735.tif 000003
【図２】
2009072735.tif 000004
【図３】
2009072735.tif 000005
【図４】
2009072735.tif 000006
【図５】
2009072735.tif 000007
【図６】
2009072735.tif 000008
【図７】
2009072735.tif 000009